(57)【特許請求の範囲】
【請求項１】
キャップ一体式のポンプをボトルに装着し、ノズルヘッドを押圧してポンプを作動させることによってボトル内の内容液を注出できるようにしたポンプ付き容器であって、ポンプに内容液注出用のディップチューブが装着されたものにおいて、
前記ディップチューブの内容液の入り口端部に装着されて該入り口をボトル内部から閉鎖するための栓体と、前記ノズルヘッドが初期位置から移動するときに前記栓体を前記ディップチューブの入り口端部から抜いて該入り口端部を開放するように栓体を移動させる移動部材とが設けられ、
ポンプ使用開始前にノズルヘッドが下方の所定位置に固定されかつ前記栓体がディップチューブ入り口端部に嵌り込んで閉鎖し、ボトル内から内容液がディップチューブ内に流入することを禁止し、
一方、ポンプ使用時にノズルヘッドが下方の所定位置から上方に移動するときに前記移動部材によって栓体が連動して上記入り口端部から外れ、前記ボトル内から内容液がディップチューブ内に流入可能にしたことを特徴とするポンプ付き容器。
【請求項２】
前記ポンプは、キャップに固定されるシリンダー部と前記ノズルヘッドに連動してシリンダー部内で摺動するピストン部と、ノズルヘッドを上方に付勢するスプリングとを有しており、
キャップをボトル口元部に装着した状態で、ノズルヘッドが押圧されることによって、ピストン部が前記スプリングの付勢力に抗してシリンダー部内で下降してポンプの機能が発揮されるようにし、
前記ノズルヘッドの下方に連続する首部の周面に雄ネジが形成され、キャップにおける首部が嵌入する部分の内周面に雌ネジが形成され、前記首部に前記移動部材が形成され、
前記雄ネジが前記雌ネジに螺合することによって前記ノズルヘッドが下方の所定位置に固定されるものであり、
前記雄ネジと前記雌ネジとの螺合を解除することによって、ノズルヘッドが上方に移動して移動部材を介して栓体がディップチューブの入り口端部から外れるようにしたことを特徴とする請求項１に記載のポンプ付き容器。
【請求項３】
前記首部に設けられた移動部材は、前記首部の下部から下方に延在する棒状体であり、該移動部材の下端に栓体が形成されていることを特徴とする請求項２に記載のポンプ付き容器。
【請求項４】
ポンプには、シリンダー部内でピストン部が下方に移動するときにシリンダー部からディップチューブへの連通を閉鎖するための弁体がシリンダー部内に設けられ、該弁体には、移動部材を移動可能に挿通する孔が形成されており、
前記移動部材および弁体の孔とのクリアランスが、ポンプ作動時にノズルヘッドから液注出可能になるように形成されていることを特徴とする請求項２または３の記載のポンプ付き容器。
【発明の詳細な説明】
【技術分野】
【０００１】
本発明は使用開始前にディップチューブへの液流入を防止できる「流入防止機構」を設けたポンプ付き容器に関する。
【背景技術】
【０００２】
ポンプ式容器を用いて製品設計を行なう場合、充填する内容液と容器の適性を見るため様々な安定性評価を行なうことがある。特に、ポンプの内容液を吸い上げるチューブ（材質はＰＥ（ポリエチレン）、ＰＰ（ポリプロピレン）が多い、以後「ディップチューブ」と記載）については、内容液の油溶（有効成分含む）成分が吸着し、成分が減量してしまうという課題がある。
【０００３】
この課題に対して、ディップチューブの材質を選定することにより改善するケースもあるが、メーカーでの生産性制約等もあり材質がＰＥ，ＰＰとなることが多い。
【０００４】
特に問題となるのは、「使用開始前にディップチューブ内に内容液が浸入」してしまい、長期間滞留することで滞留液の成分を著しく吸着することであり、使用開始した際の初流液の品質を確保できないことである。
【０００５】
ここで、ポンプ付き容器の流入防止機構に関する従来技術を説明する。
【０００６】
まず、実公昭３１−３８５９号公報（：特許文献１という）では、アイロンかけ用の噴霧器が開示される。この噴霧器では、ノズル下方に繋がるディップチューブ（吸入管）下端の小孔を小球によって塞いでおり、ディップチューブ内の液を圧縮して噴霧する際にディップチューブ下端にある小球が逆止弁様に働く。この逆止弁として働く小球は、ディップチューブ内を自由に上下できる構造であり、横倒し等の姿勢によっては閉鎖能力に欠けていた。
【０００７】
したがって、特許文献１の噴霧器は、この小球の閉鎖機能の不足によって、「使用開始前にディップチューブへの液浸入を防止」できず、上記課題に対応できないものであった。
【０００８】
また、実開昭５６−１０６８６１号公報（：特許文献２）では、ディップチューブ内に液浸入させない方法として、ディップチューブ（吸い上げ管）端部に、「密封栓」、「キャップ体」、「薄膜」を被嵌する方法を採用している。また、チューブの開封方法としては、「脱抜」「針金等」で開口「ハサミ、ナイフ等で切断」するものとなっている。噴霧装置のディップチューブ端部を密封することでポンプ内部に液浸入をさせないことで主にポンプ内の金属腐食等を防止し、使用開始前の保存状態を向上させるようとするものである。
【０００９】
しかしながら、この方法では、「使用開始前にディップチューブに液浸入をさせない」方法として「流入防止栓」を用いておらず、使用開始時に密封部を破壊・分解しなければならず面倒であり、使用性を損なわずには上記課題に対応できないものであった。
【００１０】
また、特開平８−２９００８３号公報（：特許文献３）では、ポーション容器様のリフィル専用容器（開口部がシール材でシールされている）にシールを突き破るための鋭利な先端形状を持つディップチューブが取り付けられているディスペンサー容器である。使用開始前にはディップチューブが容器内に入っていないので、液浸入はしていない構成とも言える。本来リフィール構造を目的としたポーション容器様のリフィール専用容器（開口部にシール材でシールされている）を取り替えながら使用できるものである。
【００１１】
しかしながら、使用開始前にディップチューブに液浸入させないためにリフィール専用容器を必要としており、ディップチューブが当初から装着されている通常の容器製品には不向きであり、上記課題に対応できないものであった。
【００１２】
また、実用新案登録第３１５４４９９号公報（：特許文献４）では、電動噴霧器において容器内の圧力調整機構に天然ゴム、エラストマー等の材質の逆止弁を用いた構造が開示されている。小型噴霧器が作動しているとき容器内が負圧になることで噴霧液が出難くなることを解決するため、容器に天然ゴム・エラストマー等の逆止弁を装着して容器内の負圧改善と内容液の逆流を防止できるようにしている。
【００１３】
しかしながら、当該材質の逆止弁を使用して容器内部での圧力に態様する構造ではあるが、チューブ内への液浸入防止を目的としておらず、通過する流体は「空気」であり、上記課題に対応できないものであった。
【先行技術文献】
【特許文献】
【００１４】
【特許文献１】実公昭３１−３８５９号公報
【特許文献２】実開昭５６−１０６８６１号公報
【特許文献３】特開平８−２９００８３号公報
【特許文献４】実用新案登録第３１５４４９９号公報
【発明の概要】
【発明が解決しようとする課題】
【００１５】
前述のように従来の技術では、ポンプ付き容器において、「使用開始前にディップチューブ内に内容液が浸入」してしまい、長期間滞留することで滞留液の成分を著しく吸着し、使用開始した際の初流液の品質を確保できない課題がある。
【００１６】
本発明は、斯かる実情に鑑み、ディップチューブ内に液の浸入を防止して使用を開始した際の初流液の品質を確実に確保できるポンプ付き容器を提供する。
【課題を解決するための手段】
【００１７】
本発明はポンプ付き容器に係るものである。
発明者は、ディップチューブを特別な材質に変更することなく内容液成分の吸着を解決できる方法として、ディップチューブ内に内容液が浸入しないチューブ構造を研究した。
【００１８】
また、副次的効果として、ディップチューブに液浸入が起こらないことでポンプの液排出口から使用開始前に液漏れする事故防止の機能も得られるチューブ構造も研究した。
【００１９】
ポンプ式容器は、従来、液状洗浄剤や口腔洗口液等を入れて使用することが多い。使用開始前のポンプは、機関部が動作しないように固定されており、ディップチューブ内の気密は保たれている。しかしながら、保管中の諸条件によりディップチューブ内に液が浸入してしまうことを見いだした。
【００２０】
つまり、ディップチューブ内への液浸入は、「容器内圧の上昇による機関部側へのエアリーク」、「チューブ断面の表面張力による気液置換」、「内容液の攪拌による内圧上昇と気液置換」の３パターンが認められる。
【００２１】
そこで、発明者は、液が浸入する諸原因に対策を立てるため、ディップチューブの入り口端部に栓体を装着し、諸原因の圧力による液浸入を防止し、使用開始した以降はポンプの使用性へ一切影響を及ぼさない構造を開発することで問題を解決する。
【００２２】
このような観点から本発明を案出したものである。
【００２３】
本発明は、キャップ一体式のポンプをボトルに装着し、ノズルヘッドを押圧してポンプを作動させることによってボトル内の内容液を注出できるようにしたポンプ付き容器であって、ポンプに内容液注出用のディップチューブが装着されたものにおいて、前記ディップチューブの内容液の入り口端部に装着されて該入り口をボトル内部から閉鎖するための栓体と、前記ノズルヘッドが初期位置から移動するときに前記栓体を前記ディップチューブの入り口端部から抜いて該入り口端部を開放するように栓体を移動させる移動部材とが設けられ、ポンプ使用開始前にノズルヘッドが下方の所定位置に固定されかつ前記栓体がディップチューブ入り口端部に嵌り込んで閉鎖し、ボトル内から内容液がディップチューブ内に流入することを禁止し、一方、ポンプ使用時にノズルヘッドが下方の所定位置から上方に移動するときに前記移動部材によって栓体が連動して上記入り口端部から外れ、前記ボトル内から内容液がディップチューブ内に流入可能にしたことを特徴とするポンプ付き容器である。
本発明において、前記ポンプは、キャップに固定されるシリンダー部と前記ノズルヘッドに連動してシリンダー部内で摺動するピストン部と、ノズルヘッドを上方に付勢するスプリングとを有しており、キャップをボトル口元部に装着した状態で、ノズルヘッドが押圧されることによって、ピストン部が前記スプリングの付勢力に抗してシリンダー部内で下降してポンプの機能が発揮されるようにし、前記ノズルヘッドの下方に連続する首部の周面に雄ネジが形成され、キャップにおける首部が嵌入する部分の内周面に雌ネジが形成され、前記首部に前記移動部材が形成され、前記雄ネジが前記雌ネジに螺合することによって前記ノズルヘッドが下方の所定位置に固定されるものであり、前記雄ネジと前記雌ネジとの螺合を解除することによって、ノズルヘッドが上方に移動して移動部材を介して栓体がディップチューブの入り口端部から外れるようにしたことが好適である。
また、本発明においては、前記首部に設けられた移動部材は、前記首部の下部から下方に延在する棒状体であり、該移動部材の下端に栓体が形成されていることが好適である。
また、本発明において、ポンプには、シリンダー部内でピストン部が下方に移動するときにシリンダー部からディップチューブへの連通を閉鎖するための弁体がシリンダー部内に設けられ、該弁体には、移動部材を移動可能に挿通する孔が形成されており、前記移動部材および弁体の孔とのクリアランスが、ポンプ作動時にノズルヘッドから液注出可能になるように形成されていることが好適である。
【発明の効果】
【００２４】
本発明のポンプ付き容器によれば、ディップチューブの下方端の内容液の入り口端部に装着されて該入り口をボトル内部から閉鎖するための栓体と、前記ノズルヘッドが初期位置から移動するときに前記栓体を前記ディップチューブの入り口端部から抜いて該入り口端部を開放するように栓体を移動させる移動部材とが設けられ、ポンプ使用開始前にノズルヘッドが下方の所定位置に固定されかつ前記栓体がディップチューブ入り口端部に嵌り込んで閉鎖し、ボトル内から内容液がディップチューブ内に流入することを禁止し、一方、ポンプ使用時にノズルヘッドが下方の所定位置から上方に移動するときに前記移動部材によって栓体が連動して上記入り口端部から外れ、前記ボトル内から内容液がディップチューブ内に流入可能にしたので、使用開始前にディップチューブ内に内容液が浸入することがなく、内容液の油溶（有効成分含む）成分が吸着し、成分が減量してしまうことを確実に防止でき、かつ、使用開始時にスムーズな液注出ができる。
【００２５】
なお、前記ポンプは、キャップに固定されるシリンダー部と前記ノズルヘッドに連動してシリンダー部内で摺動するピストン部と、ノズルヘッドを上方に付勢するスプリングとを有しており、キャップをボトル口元部に装着した状態で、ノズルヘッドが押圧されることによって、ピストン部が前記スプリングの付勢力に抗してシリンダー部内で下降してポンプの機能が発揮されるようにし、前記ノズルヘッドの下方に連続する首部の周面に雄ネジが形成され、キャップにおける首部が嵌入する部分の内周面に雌ネジが形成され、前記首部に前記移動部材が形成され、前記雄ネジが前記雌ネジに螺合することによって前記ノズルヘッドが下方の所定位置に固定されるものであり、前記雄ネジと前記雌ネジとの螺合を解除することによって、ノズルヘッドが上方に移動して移動部材を介して栓体がディップチューブの入り口端部から外れるようにすることができる。使用開始前に螺合されていた雄ネジと雌ネジとを使用開始時に外すことによって、ノズルヘッドが上昇して栓体が抜けて、ディップチューブ内に内容液を注出することが可能になる。使用開始前に雄ネジと雌ネジが螺合されているので、固定の確実性が高く栓体が抜けず、また、螺合を外す操作だけで栓体が抜けるので、別操作を要することなく使用を開始できるでき、利便性が高い。
また、前記首部に設けられた移動部材は、前記首部の下部から下方に延在する棒状体であり、該移動部材の下端に栓体が形成されているものにすれば、剛性が高く、ノズルヘッドと連動して上下動するので、使用開始後に、雄ネジを前記雌ネジに螺合しなければ固定できないので、ディップチューブを介して内容液を吸い上げることができ、一方、必要に応じて前記ノズルヘッドを下方の所定位置に再び固定することができ、長期に使用を停止する際に保管することができる。
また、ポンプには、シリンダー部内でピストン部が下方に移動するときにシリンダー部からディップチューブへの連通を閉鎖するための弁体がシリンダー部内に設けられ、該弁体には、移動部材を移動可能に挿通する孔が形成されており、
前記移動部材および弁体の孔とのクリアランスが、ポンプ作動時にノズルヘッドから液注出可能になるように形成されていることによって、ポンプ作動時に確実にノズルヘッドに液注出でき、ポンプの作動の確実性を確保できる等の優れた効果を奏し得る。
【図面の簡単な説明】
【００２６】
【図１】本発明の実施形態に係るポンプ付き容器のポンプ原位置状態の説明図で、（ａ）が全体説明図、（ｂ）がシリンダー部下端付近の斜視説明図である。
【図２】ノズルヘッドが押し込まれた状態の前記容器の説明図である。
【図３】前記ポンプのディップチューブの下端およびその下端に設けられた受け座の構造の斜視説明図である。
【図４】（ａ）、（ｂ）は、前記ポンプのディップチューブの下端に受け座に棒状体が嵌着、離脱している断面説明図である。
【図５】（ａ）、（ｂ）は、実施形態のポンプ付き容器における首部への移動部材の設置構造の他の例を示す断面説明図である。
【発明を実施するための形態】
【００２７】
以下、本発明の実施形態について添付図面を参照して説明する。
【００２８】
図１〜図４は本発明の実施形態に係るポンプ付き容器の構造の説明図、図５は移動部材の他の例を示す断面説明図である。
【００２９】
図１〜図４に示すように、ポンプ付き容器は、キャップ一体式のポンプ１０をボトル（容器本体）１２に装着し、ポンプ１０を作動させることによってボトル１２内の内容液を吐出ノズル１４から注出できるようにしたポンプ付き容器であって、ポンプ１０に内容液注出用のディップチューブ１６が装着されたものである。
【００３０】
図１（ａ）に示すように、実施形態に係るポンプ付き容器では、前記ディップチューブ１６の内容液の入り口端部１６ａに装着されて該入り口をボトル１２内部から閉鎖するための栓体１８と、前記ノズルヘッド２０が初期位置から移動するときに前記栓体１８を前記ディップチューブ１６の入り口端部１６ａから抜いて該入り口端部１６ａを開放するように栓体１８を移動させる棒状またはロッド形状の移動部材３４とが設けられる。
【００３１】
すなわち、ポンプ１０使用開始前にノズルヘッド２０が下方の所定位置に固定されかつ前記栓体１８がディップチューブ１６入り口端部１６ａに嵌り込んで閉鎖し、ボトル１２内から内容液がディップチューブ１６内に流入することを禁止し、一方、ポンプ１０使用時にノズルヘッド２０が下方の所定位置から上方に移動するときに前記移動部材３４によって栓体１８が連動して上記入り口端部１６ａから外れ、前記ボトル１２内から内容液がディップチューブ１６内に流入可能にしたものである。
なお、上記入り口端部１６ａには、図１〜図４に示すように、筒状の弁座体１６ａ１が嵌入しており、栓体１８の液密を確保できるようにしている。つまり、弁座体１６ａ１の内径は栓体１８の外径に近似した寸法に形成して液密を保つ。図４（ａ）に示すように、栓体１８が弁座体１６ａ１に嵌着して液密になり、図４（ｂ）に示すように、栓体１８が弁座体１６ａ１から離脱して液がディップチューブ１６内に流入する。
【００３２】
前記ポンプ１０は、基部キャップ部（キャップ）２２に固定されるシリンダー部２８と前記ノズルヘッド２０に連動してシリンダー部２８内で摺動するピストン部３０と、ノズルヘッド２０を上方に付勢するスプリング３２とを有している。
基部キャップ部２２をボトル１２の口元部１２ａに装着した状態で、ノズルヘッド２０が押圧されることによって、ピストン部３０が前記スプリング３２の付勢力に抗してシリンダー部２８内で下降してポンプ１０の機能が発揮されるようにしている。
【００３３】
前記ノズルヘッド２０の下方に連続する首部２６の周面に雄ネジ２６ａが形成され、基部キャップ部２２における首部２６が嵌入する部分の内周面に雌ネジ２４ｂが形成され、前記首部２６に前記移動部材３４が形成されて、前記雄ネジ２６ａが前記雌ネジ２４ｂに螺合することによって前記ノズルヘッド２０が下方の所定位置に固定されるものである。
初期の未使用状態、または、長期不使用状態で前記雄ネジ２６ａと前記雌ネジ２４ｂとの螺合を解除することによって、ノズルヘッド２０が上方に移動して移動部材３４を介して栓体１８がディップチューブ１６の入り口端部１６ａから外れるようにした。
【００３４】
実施形態では、前記首部２６に設けられた移動部材３４は、前記首部２６の下部から下方に延在する金属または樹脂材の剛性や靱性のある棒状体であり、該該移動部材３４の下端に一体形成または別体で栓体１８が形成されている。移動部材３４は首部２６に対して嵌入または一体成形で固定されていて、首部２６と共に上下動する。
【００３５】
ここで、ポンプ１０について説明する。図１はポンプ１０使用時にノズルヘッド２０を押し下げる前の状態を示し、図２はポンプ１０使用開始前にノズルヘッド２０を押し下げた状態でノズルヘッド２０を螺合する（首部２６の雄ネジ２６ａを筒壁２４ａの雌ネジ２４ｂにねじ込む）ことによってノズルヘッド２０を固定した状態を示している。
【００３６】
ボトル１２上部は下部よりも細径になった口元部１２ａの開口周囲の外周面に基部キャップ部２２が螺合される。基部キャップ部２２の上部に肩カバー２４が装着され、この肩カバー２４の中央部に筒壁２４ａが下方に向けて延在している。筒壁２４ａ内周面に雌ネジ２４ｂが形成されている。
【００３７】
ノズルヘッド２０には、その側方に延在した吐出ノズル１４とノズルヘッド２０に中空管路が連通して下方に延びる首部２６とが一体的に設けられている。首部２６が前記筒壁２４ａ内の進退動（上下動）可能に挿入され，首部２６の外周面に雄ネジ２６ａが形成されている。
【００３８】
前記ポンプ１０は、ボトル１２の口元部１２ａと基部キャップ部２２との間に設けたシリンダー部２８と、シリンダー部２８内を摺動するため、首部２６下端にやや上下可動に設けられたピストン部３０とを有している。首部２６のピストン部３０の設けられている位置には、首部２６内に連通する導入孔２６ｂが形成されていて、吐出ノズル１４の開口に連通している。
【００３９】
詳細に述べると、前記ポンプ１０において、前記シリンダー部２８には、上部にフランジ２８ａが形成されており、フランジ２８ａを首部２６上端と基部キャップ部２２とで挟み付けて前記シリンダー部２８をボトル１２の首部２６に固定している。シリンダー部２８内には下部が段状に先細になって内部に移動部材３４が挿通するやや狭い箇所（移動部材３４より内径が大きい段部）が形成されていて、シリンダー部２８内に移動部材３４が上下動可能に配設されている。さらにシリンダー部２８の下方部内にディップチューブ１６が挿着固定されている。
【００４０】
前記シリンダー部２８内にスプリング３２が配置される。このスプリング３２の下端がシリンダー部２８内に係止され、また、スプリング３２の上端が首部２６下端に係止され、これによって、このスプリング３２が、首部２６をシリンダー部２８に対して上方に付勢している。
【００４１】
また、ポンプ１０には、図１〜図２に示すように、シリンダー部２８下部内に弁体３６が装着されている。該弁体３６は、ピストン部３０が下方に移動するときにシリンダー部２８からディップチューブ１６への連通を閉鎖するためのものである。該弁体３６は、概略球形を呈し、移動部材３４を移動可能に挿通する孔３６ａが上下方向に貫通して形成されている。
前記移動部材３４の外面および弁体３６の孔３６ａ内面のとの間のクリアランス（間隙）が、ポンプ１０の作動が確実であってポンプ１０作動時にノズルヘッド２０から液注出可能になるよう形成されている。
シリンダー部２８の下部では、上下方向に離隔したフランジ構造２８ｂおよび２８ｃが内向きに突出形成される。このフランジ構造２８ｂおよび２８ｃで囲む空間内に、前記弁体３６が囲繞されて、フランジ構造２８ｂおよび２８ｃによって前記シリンダー部２８の下部から脱落するのを防止している。
【００４２】
ポンプ１０の作動は、まず、ユーザがノズルヘッド２０を押圧して下方に移動させ（その際、ピストン部３０が首部２６と相対的に上方向に移動して導入孔２６ｂが開状態になり）、これによって、シリンダー部２８内をピストン部３０が下方に移動する。
シリンダー部２８内のピストン部３０下方空間内の流体（内容液）が圧縮され、その圧力で弁体３６がシリンダ２８の下のフランジ構造２８ｃを塞いで、内容液がディップチューブ１６側に戻るのを規制し、かつ、シリンダー部２８内の内容液の圧力を上昇させて吐出ノズル１４に向けて該内容液を送込む。
従来、ディップチューブ１６内には、図１に示す、フランジ構造２８ｂおよび２８ｃのように、他よりもやや内径が細くなったオリフィスが形成された符号Ａ部に逆止弁として概略ボール状体が設けられており、ピストン部３０の作動時にシリンダー部２８内の圧力を確保していた。そのボール状体と同様に弁体３６を設けているが、移動部材３４の作動を確保するため、弁体３６に孔３６ａに移動部材３４を挿通しているものである。
【００４３】
本実施形態の機構では、移動部材３４が弁体３６に貫通しているが、シリンダー部２８下部内に設けた該弁体３６の孔３６ａ内周面と移動部材３４の外周面との間のクリアランス等によってシリンダー部２８内の圧力を代替してポンプの排出機能を確保している。
また、シリンダー部２８の導入孔２６ｂを介してボトル１２内圧が上がるので、ボトル１２の内容液は導入孔２６ｂとの間を通って吐出ノズル１４から吐出される。当初、シリンダー部２８内に空気があった場合、その空気が吐出ノズル１４から排出される。
【００４４】
次いで、ユーザが押圧を緩めると、首部２６およびノズルヘッド２０がピストン部３０と共にスプリング３２の弾発力により上方に移動して（その際、ピストン部３０が首部２６と相対的に下方向に移動して導入孔２６ｂが閉状態になり）、シリンダー部２８内が負圧になり、塗布液がディップチューブ１６を介して内容液が吸い上げられてシリンダー部２８内に流入する。
【００４５】
なお、図２は使用開始前に肩カバー２４の雌ネジ２４ｂに首部２６の雄ネジ２６ａを螺合させてノズルヘッド２０を固定しているものである。
【００４６】
実施形態のポンプ付き容器によれば、ディップチューブ１６の下方端の内容液の入り口端部１６ａに装着されて該入り口をボトル１２内部から閉鎖するための栓体１８と、前記ノズルヘッド２０が初期位置から移動するときに前記栓体１８を前記ディップチューブ１６の入り口端部１６ａから抜いて該入り口端部１６ａを開放するように栓体１８を移動させる移動部材３４とが設けられ、ポンプ１０使用開始前にノズルヘッド２０が下方の所定位置に固定されかつ前記栓体１８がディップチューブ１６入り口端部１６ａに嵌り込んで閉鎖し、ボトル１２内から内容液がディップチューブ１６内に流入することを禁止し、一方、ポンプ１０使用時にノズルヘッド２０が下方の所定位置から上方に移動するときに前記移動部材３４によって栓体１８が連動して上記入り口端部１６ａから外れ、前記ボトル１２内から内容液がディップチューブ１６内に流入可能にしたので、使用開始前のポンプ１０のディップチューブ１６内に内容液が浸入することがなく、内容液の油溶（有効成分含む）成分が吸着し、成分が減量してしまうことを確実に防止でき、かつ、使用開始時にスムーズな液注出ができる。
【００４７】
なお、前記ポンプ１０は、基部キャップ部２２に固定されるシリンダー部２８と前記ノズルヘッド２０に連動してシリンダー部２８内で摺動するピストン部３０と、ノズルヘッド２０を上方に付勢するスプリング３２とを有しており、基部キャップ部２２をボトル１２の口元部１２ａに装着した状態で、ノズルヘッド２０が押圧されることによって、ピストン部３０が前記スプリング３２の付勢力に抗してシリンダー部２８内で下降してポンプ１０の機能が発揮されるようにしている。そして、前記ノズルヘッド２０の下方に連続する首部２６の周面に雄ネジ２６ａが形成され、基部キャップ部２２における首部２６が嵌入する部分の内周面に雌ネジ２４ｂが形成され、前記首部２６に前記移動部材３４が形成され、前記雄ネジ２６ａが前記雌ネジ２４ｂに螺合することによって前記ノズルヘッド２０が下方の所定位置に固定されるものである。
【００４８】
前記ポンプ付き容器では、前記雄ネジ２６ａと前記雌ネジ２４ｂとの螺合を解除することによって、ノズルヘッド２０が上方に移動して移動部材３４を介して栓体１８がディップチューブ１６の入り口端部１６ａから外れるようにすることができる。使用開始前に螺合されていた雄ネジ２６ａと雌ネジ２４ｂとを使用開始時に外すことによって、ノズルヘッド２０が上昇して栓体１８が抜けて、ディップチューブ１６内に内容液を注出することが可能になる。使用開始前に雄ネジ２６ａと雌ネジ２４ｂが螺合されているので、固定の確実性が高く栓体１８が抜けず、また、螺合を外す操作だけで栓体１８が抜けるので、別操作を要することなく使用を開始できる、利便性が高い。
【００４９】
また、前記首部２６に設けられた移動部材３４は、前記首部２６の下部から下方に延在する棒状体であり、該移動部材３４の下端に栓体１８が形成されているものにすれば、剛性が高く、ノズルヘッド２０と連動して上下動するので、使用開始後に、雄ネジ２６ａを前記雌ネジ２４ｂに螺合しなければ固定できないので、ディップチューブ１６を介して内容液を吸い上げることができ、一方、必要に応じて前記ノズルヘッド２０を下方の所定位置に再び固定することができ、長期に使用を停止する際に保管することができる。
【００５０】
また、ポンプ１０には、シリンダー部２８内でピストン部３０が下方に移動するときにシリンダー部２８からディップチューブ１６への連通を閉鎖するための弁体３６がシリンダー部２８内に設けられ、該弁体３６には、移動部材３４を移動可能に挿通する孔３６ａが形成されており、前記移動部材３４および弁体３６の孔３６ａとのクリアランスが、ポンプ１０作動時にノズルヘッド２０から液注出可能になるように形成されていることによって、ポンプ１０作動時に確実にノズルヘッド２０に液注出でき、ポンプ１０の作動の確実性を確保できる等の優れた効果を奏し得る。
【００５１】
ここで、本発明のポンプ付き容器につき、内径９．５mmの前記ディップチューブ１６に入り口端１６ａに挿入離脱する栓体１８を装着した実施例を構成した。。
【００５２】
上記の実施例において、使用開始前と使用時の違いはノズルヘッドのネジ込みによるロッドの下降量（この場合３ｍｍ程度）であり、この下降量のストローク差で栓の機能の有り無し、をコントールをしている。
結果、使用前の密栓状態において、内圧、姿勢に関わらずチューブ内の液浸入は防止できる機構を開発できた。
【００５３】
なお、本発明は上記の実施形態に限定されない。上記の実施例の条件は一例であって、本発明は上記条件に限定されないことはもちろんである。
また、上記の実施形態の移動部材は、図１〜図２に示される首部２６の下部に一体化した構成であるが、本発明はこれに限定されない。図５（ａ）に示すように、首部２６の下部に穴２６ｄを形成して、その穴２６ｄに棒状の移動部材３４を装着下構造としたり、（ｂ）に示すように、首部２６の下部に孔２６ｅを形成して、その孔２６ｅに棒状の移動部材３４を貫通させて装着としたり、各種構造を採用することができる。このように、移動部材を首部と別体に形成すれば、首部形成用の金型を単純構造化でき、製造が容易になる利点がある。
【産業上の利用可能性】
【００５４】
本発明のポンプ付き容器は、家庭用洗剤、入浴用洗剤、手洗い用洗剤等の液体製品を収容したポンプ付き容器に利用することができる。
【符号の説明】
【００５５】
１０  ポンプ
１２  ボトル
１２ａ  ボトル口元部
１４  吐出ノズル
１６  ディップチューブ
１６ａ  入り口端部
１６ａ１  入り口端嵌入の弁座体
１８  栓体
２０  ノズルヘッド
２２  基部キャップ部（キャップ）
２４  肩カバー
２４ａ  筒壁
２４ｂ  雌ネジ
２６  首部
２６ａ  雄ネジ
２６ｂ  導入孔
２８  シリンダー部
２８ａ  シリンダー部のフランジ
３０  ピストン部
３２  スプリング
３４  移動部材
３６  弁体
【図１】
0005660934.tif 000002
【図２】
0005660934.tif 000003
【図３】
0005660934.tif 000004
【図４】
0005660934.tif 000005
【図５】
0005660934.tif 000006